(57)【要約】【課題】作業者が移動する際の移動の順序を考慮しない場合に比べ、作業者が複数の掲示物についての設置作業を行う際の作業効率を向上させる。【解決手段】互いに異なる設置箇所に設置される複数の掲示物についての情報を取得する情報取得手段と、情報に基づき、掲示物の設置を行う作業者が設置箇所の各々を順に移動していく際の移動の順序を決定する決定手段と、決定された移動の順序が反映された印刷物の出力の指示を行う指示手段と、を備える情報処理システム。【選択図】図４
2020030682.tif 000002
【特許請求の範囲】
【請求項１】
互いに異なる設置箇所に設置される複数の掲示物についての情報を取得する情報取得手段と、
前記情報に基づき、掲示物の設置を行う作業者が前記設置箇所の各々を順に移動していく際の移動の順序を決定する決定手段と、
決定された前記移動の順序が反映された印刷物の出力の指示を行う指示手段と、
を備える情報処理システム。
【請求項２】
前記指示手段は、前記移動の順序が反映された印刷物の出力の指示として、前記複数の掲示物の印刷の指示を行う請求項１に記載の情報処理システム。
【請求項３】
前記指示手段は、前記作業者により設置される前記複数の掲示物の各々の設置順と、印刷され束となる当該複数の掲示物の各々の当該束における並び順とが一致するように、当該複数の掲示物の印刷の指示を行う請求項２に記載の情報処理システム。
【請求項４】
前記指示手段は、印刷装置にて印刷済みの前記掲示物が順次積載されて当該印刷装置にて前記束が生成される際に、前記作業者による設置が先に行われる掲示物が遅れて設置される掲示物よりも上に載るように、前記印刷の指示を行う請求項３に記載の情報処理システム。
【請求項５】
前記指示手段は、印刷装置にて前記掲示物が順次積載されて当該印刷装置にて前記束が生成される際に、印刷面が上方を向くように、前記印刷の指示を行う請求項４に記載の情報処理システム。
【請求項６】
前記指示手段は、前記移動の順序が反映された印刷物の出力の指示として、当該移動の順序についての情報が記載された印刷物の出力の指示を行う請求項１に記載の情報処理システム。
【請求項７】
前記指示手段は、前記移動の順序についての情報が記載され且つ前記設置箇所の各々の位置を示す情報が記載された印刷物の出力の指示を行う請求項６に記載の情報処理システム。
【請求項８】
前記情報取得手段は、前記複数の掲示物の各々の設置箇所についての情報を取得し、
前記決定手段は、前記設置箇所についての前記情報に基づき、前記移動の順序を決定する請求項１に記載の情報処理システム。
【請求項９】
前記情報取得手段は、前記複数の掲示物の各々の部数についての情報を取得し、
前記決定手段は、前記部数についての前記情報に基づき、前記移動の順序を決定する請求項１に記載の情報処理システム。
【請求項１０】
前記決定手段は、部数が少ない掲示物の設置箇所よりも部数が多い掲示物の設置箇所の方を前記作業者が先に訪れるように、前記移動の順序を決定する請求項９に記載の情報処理システム。
【請求項１１】
前記情報取得手段は、前記複数の掲示物の各々の大きさについての情報を取得し、
前記決定手段は、前記大きさについての前記情報に基づき、前記移動の順序を決定する請求項１に記載の情報処理システム。
【請求項１２】
前記決定手段は、小さい掲示物の設置箇所よりも大きい掲示物の設置箇所の方を前記作業者が先に訪れるように、前記移動の順序を決定する請求項１１に記載の情報処理システム。
【請求項１３】
前記情報取得手段は、前記複数の掲示物の各々の掲示にあたって必要となる器具についての情報を取得し、
前記決定手段は、前記器具についての前記情報に基づき、前記移動の順序を決定する請求項１に記載の情報処理システム。
【請求項１４】
前記決定手段は、前記器具が必要とされない掲示物の設置箇所よりも器具が必要とされる掲示物の設置箇所の方を前記作業者が先に訪れるように、前記移動の順序を決定する請求項１３に記載の情報処理システム。
【請求項１５】
決定手段は、前記複数の掲示物に含まれる一部の掲示物であって、指定者により指定された領域内に設置される当該一部の掲示物の各々の設置箇所を前記作業者が順に移動していく際の移動の順序を決定する請求項１に記載の情報処理システム。
【請求項１６】
互いに異なる設置箇所に設置される複数の掲示物についての情報を取得する情報取得機能と、
前記情報に基づき、掲示物の設置を行う作業者が前記設置箇所の各々を順に移動していく際の移動の順序を決定する決定機能と、
決定された前記移動の順序が反映された印刷物の出力の指示を行う指示機能と、
をコンピュータに実現させるためのプログラム。
【発明の詳細な説明】
【技術分野】
【０００１】
本発明は、情報処理システムおよびプログラムに関する。
【背景技術】
【０００２】
特許文献１には、広告生成データと商品データとに基づいて、広告生成データに含まれる商品のうち、商品データが示す商品に対応する広告データを生成する手段を備える広告作成システムが開示されている。
【先行技術文献】
【特許文献】
【０００３】
【特許文献１】特開２０１７−１６２４６７号公報
【発明の概要】
【発明が解決しようとする課題】
【０００４】
店舗等では、商品などに関する複数の掲示物が設置される場合があり、この場合、例えば、作業者が、掲示物の設置箇所の各々を順に経由して移動し、掲示物の設置を行う。
この場合に、作業者が移動していく順序によっては、遠回りとなったり、重量を有する掲示物を長い距離にわたって携行したりする必要が生じ、作業者が移動していく順序によっては、作業効率の低下を招く。
本発明の目的は、作業者が移動する際の移動の順序を考慮しない場合に比べ、作業者が複数の掲示物についての設置作業を行う際の作業効率を向上させることにある。
【課題を解決するための手段】
【０００５】
請求項１に記載の発明は、互いに異なる設置箇所に設置される複数の掲示物についての情報を取得する情報取得手段と、前記情報に基づき、掲示物の設置を行う作業者が前記設置箇所の各々を順に移動していく際の移動の順序を決定する決定手段と、決定された前記移動の順序が反映された印刷物の出力の指示を行う指示手段と、を備える情報処理システムである。
請求項２に記載の発明は、前記指示手段は、前記移動の順序が反映された印刷物の出力の指示として、前記複数の掲示物の印刷の指示を行う請求項１に記載の情報処理システムである。
請求項３に記載の発明は、前記指示手段は、前記作業者により設置される前記複数の掲示物の各々の設置順と、印刷され束となる当該複数の掲示物の各々の当該束における並び順とが一致するように、当該複数の掲示物の印刷の指示を行う請求項２に記載の情報処理システムである。
請求項４に記載の発明は、前記指示手段は、印刷装置にて印刷済みの前記掲示物が順次積載されて当該印刷装置にて前記束が生成される際に、前記作業者による設置が先に行われる掲示物が遅れて設置される掲示物よりも上に載るように、前記印刷の指示を行う請求項３に記載の情報処理システムである。
請求項５に記載の発明は、前記指示手段は、印刷装置にて前記掲示物が順次積載されて当該印刷装置にて前記束が生成される際に、印刷面が上方を向くように、前記印刷の指示を行う請求項４に記載の情報処理システムである。
請求項６に記載の発明は、前記指示手段は、前記移動の順序が反映された印刷物の出力の指示として、当該移動の順序についての情報が記載された印刷物の出力の指示を行う請求項１に記載の情報処理システムである。
請求項７に記載の発明は、前記指示手段は、前記移動の順序についての情報が記載され且つ前記設置箇所の各々の位置を示す情報が記載された印刷物の出力の指示を行う請求項６に記載の情報処理システムである。
請求項８に記載の発明は、前記情報取得手段は、前記複数の掲示物の各々の設置箇所についての情報を取得し、前記決定手段は、前記設置箇所についての前記情報に基づき、前記移動の順序を決定する請求項１に記載の情報処理システムである。
請求項９に記載の発明は、前記情報取得手段は、前記複数の掲示物の各々の部数についての情報を取得し、前記決定手段は、前記部数についての前記情報に基づき、前記移動の順序を決定する請求項１に記載の情報処理システムである。
請求項１０に記載の発明は、前記決定手段は、部数が少ない掲示物の設置箇所よりも部数が多い掲示物の設置箇所の方を前記作業者が先に訪れるように、前記移動の順序を決定する請求項９に記載の情報処理システムである。
請求項１１に記載の発明は、前記情報取得手段は、前記複数の掲示物の各々の大きさについての情報を取得し、前記決定手段は、前記大きさについての前記情報に基づき、前記移動の順序を決定する請求項１に記載の情報処理システムである。
請求項１２に記載の発明は、前記決定手段は、小さい掲示物の設置箇所よりも大きい掲示物の設置箇所の方を前記作業者が先に訪れるように、前記移動の順序を決定する請求項１１に記載の情報処理システムである。
請求項１３に記載の発明は、前記情報取得手段は、前記複数の掲示物の各々の掲示にあたって必要となる器具についての情報を取得し、前記決定手段は、前記器具についての前記情報に基づき、前記移動の順序を決定する請求項１に記載の情報処理システムである。
請求項１４に記載の発明は、前記決定手段は、前記器具が必要とされない掲示物の設置箇所よりも器具が必要とされる掲示物の設置箇所の方を前記作業者が先に訪れるように、前記移動の順序を決定する請求項１３に記載の情報処理システムである。
請求項１５に記載の発明は、決定手段は、前記複数の掲示物に含まれる一部の掲示物であって、指定者により指定された領域内に設置される当該一部の掲示物の各々の設置箇所を前記作業者が順に移動していく際の移動の順序を決定する請求項１に記載の情報処理システムである。
請求項１６に記載の発明は、互いに異なる設置箇所に設置される複数の掲示物についての情報を取得する情報取得機能と、前記情報に基づき、掲示物の設置を行う作業者が前記設置箇所の各々を順に移動していく際の移動の順序を決定する決定機能と、決定された前記移動の順序が反映された印刷物の出力の指示を行う指示機能と、をコンピュータに実現させるためのプログラムである。
【発明の効果】
【０００６】
請求項１の発明によれば、作業者が移動する際の移動の順序を考慮しない場合に比べ、作業者が複数の掲示物についての設置作業を行う際の作業効率を向上させることができる。
請求項２の発明によれば、作業者が設置箇所の各々を順に移動していく際の移動の順序を、印刷される複数の掲示物に反映することができる。
請求項３の発明によれば、作業者により設置される複数の掲示物の各々の設置順と、印刷され束となる複数の掲示物の各々の束における並び順とが一致しない場合に比べ、作業者が掲示物の設置作業を行う際の作業効率を向上させることができる。
請求項４の発明によれば、遅れて設置される掲示物が先行して設置される掲示物よりも上に載る場合に比べ、作業者が掲示物の設置作業を行う際の作業効率を向上させることができる。
請求項５の発明によれば、印刷面が下方を向く場合に比べ、作業者が掲示物の設置作業を行う際の作業効率を向上させることができる。
請求項６の発明によれば、作業者が設置箇所の各々を順に移動していく際の移動の順序についての情報が記載された印刷物を出力できる。
請求項７の発明によれば、設置箇所の各々の位置を示す情報が記載されない場合に比べ、作業者が掲示物の設置作業を行う際の作業効率を向上させることができる。
請求項８の発明によれば、複数の掲示物の各々の設置箇所を考慮に入れて、作業者が移動していく際の移動の順序を決定できる。
請求項９の発明によれば、複数の掲示物の各々の部数についての情報を考慮に入れて、作業者が移動していく際の移動の順序を決定できる。
請求項１０の発明によれば、部数が多い掲示物の設置箇所よりも部数が少ない掲示物の設置箇所の方を作業者が先に訪れるように移動の順序が決定される場合に比べ、作業者の作業負担を軽減できる。
請求項１１の発明によれば、複数の掲示物の各々の大きさについての情報を考慮に入れて、作業者が移動していく際の移動の順序を決定できる。
請求項１２の発明によれば、大きい掲示物の設置箇所よりも小さい掲示物の設置箇所の方を作業者が先に訪れるように移動の順序が決定される場合に比べ、作業者の作業負担を軽減できる。
請求項１３の発明によれば、複数の掲示物の各々の掲示にあたって必要となる器具についての情報を考慮に入れて、作業者が移動していく際の移動の順序を決定できる。
請求項１４の発明によれば、器具が必要とされる掲示物の設置箇所よりも器具が必要とされない掲示物の設置箇所の方を作業者が先に訪れるように移動の順序が決定される場合に比べ、作業者の作業負担を軽減できる。
請求項１５の発明によれば、指定者が指定した領域内に設置される掲示物の各々の設置箇所を作業者が順に移動していく際の移動の順序を決定できる。
請求項１６の発明によれば、作業者が移動する際の移動の順序を考慮しない場合に比べ、作業者が複数の掲示物についての設置作業を行う際の作業効率を向上させることができる。
【図面の簡単な説明】
【０００７】
【図１】本実施形態の情報処理システムの全体構成を示した図である。
【図２】管理サーバ、本部端末、店舗端末のハードウエアの構成を示した図である。
【図３】情報処理システムにて実施される処理の概要を説明する図である。
【図４】管理サーバが有する機能を示した図である。
【図５】本実施形態の情報処理システムにて実行される処理の流れを示したフローチャートである。
【図６】店舗操作者が掲示位置を登録する際の、店舗端末の表示画面を示した図である。
【図７】掲示情報格納部に格納される情報を示した図である。
【図８】店舗操作者が掲示領域の登録を行う際の、店舗端末の表示画面を示した図である。
【図９】印刷情報の登録時の、店舗端末の表示画面を示した図である。
【図１０】印刷情報格納部を説明する図である。
【図１１】印刷指示が行われる直前の店舗端末の表示画面を示した図である。
【図１２】出力された指示書を示した図である。
【図１３】ステップＳ１０７にて行われる処理の詳細を示したフローチャートである。
【図１４】指示書の他の一例を示した図である。
【図１５】画像形成装置を示した図である。
【図１６】（Ａ）、（Ｂ）は、画像形成装置における掲示物の積載状態を示した図である。
【発明を実施するための形態】
【０００８】
以下、添付図面を参照して、本発明の実施の形態について詳細に説明する。
図１は、本実施形態の情報処理システム１の全体構成を示した図である。
本実施形態の情報処理システム１には、管理サーバ１０、本部に設置される本部端末２０、各店舗に設置される画像形成装置（印刷装置）３０、同じく各店舗に設置される店舗端末４０が設けられている。
管理サーバ１０、本部端末２０、店舗端末４０は、何れもコンピュータ装置により構成されている。また、本部端末２０、管理サーバ１０、店舗端末４０、画像形成装置３０は、インターネットなどの通信回線５０を介して接続されている。
【０００９】
画像形成装置３０は、電子写真方式や、インクジェット方式などを用い、記録材の一例である用紙や樹脂製のシートなどへの画像形成を行い、各店舗に設置される掲示物６０を生成する。また、画像形成装置３０は、用紙などへの画像形成を行い、掲示物６０の設置作業を行う作業者に渡される指示書７０を生成する。
なお、画像形成装置３０による画像形成の方式は、電子写真方式や、インクジェット方式に限らず、他の方式を用いてもよい。
【００１０】
「掲示物６０」とは、掲示箇所に設置され、この掲示箇所の周囲にいる人により参照される印刷物をいう。
ここで、掲示物６０の形態は、特に問わない。掲示物６０の一例としては、ポスターが挙げられる。また、その他に、掲示物６０は、商品に添付されるシールのように小さいサイズとしてもよい。また、掲示物６０の形状も特に限られず、例えば、ポスターのような長方形状としたり、短冊状としたり、三角形などの多角形状としたりしてもよい。
さらに、掲示物６０の掲示態様も、特に限られない。例えば、ポスターのように、壁面に沿わせて掲示物６０を掲示する態様の他、例えば、剛性を有する短冊状の掲示物６０を壁面と直交する関係で配置してもよい。
【００１１】
図２は、管理サーバ１０、本部端末２０、店舗端末４０のハードウエアの構成を示した図である。
管理サーバ１０、本部端末２０、店舗端末４０は、何れもコンピュータ装置により構成されている。
管理サーバ１０、本部端末２０、店舗端末４０の各々には、ＣＰＵ（Central Processing Unit）２０１、ＲＡＭ（Random Access Memory）２０２、ＲＯＭ（Read Only Memory）２０３、ハードディスクなどにより構成される記憶装置２０４、外部との通信を行うための通信装置（通信Ｉ／Ｆ）２０５が設けられている。
【００１２】
ＲＯＭ２０３、記憶装置２０４は、ＣＰＵ２０１により実行されるプログラムを記憶する。ＣＰＵ２０１は、ＲＯＭ２０３や記憶装置２０４に記憶されているプログラムを読み出し、ＲＡＭ２０２を作業エリアにしてプログラムを実行する。
ＣＰＵ２０１により、ＲＯＭ２０３や記憶装置２０４に格納されたプログラムが実行されることで、後述する各機能部が実現される。
【００１３】
ここで、ＣＰＵ２０１によって実行されるプログラムは、磁気記録媒体（磁気テープ、磁気ディスクなど）、光記録媒体（光ディスクなど）、光磁気記録媒体、半導体メモリなどのコンピュータが読取可能な記録媒体に記憶した状態で、管理サーバ１０、本部端末２０、店舗端末４０へ提供しうる。また、ＣＰＵ２０１によって実行されるプログラムは、インターネットなどの通信手段を用いて、管理サーバ１０、本部端末２０、店舗端末４０へダウンロードしてもよい。
さらに、図１に示すように、本部端末２０、店舗端末４０の各々には、操作者への情報の表示を行う表示装置２１が設けられている。
【００１４】
図３は、情報処理システム１にて実施される処理の概要を説明する図である。
本実施形態では、まず、例えば、符号３Ａで示すように、店舗にいる操作者（以下、「店舗操作者」と称する）が、店舗端末４０を介して、店舗内のレイアウトを示す画像（以下、「レイアウト画像２２」と称する）を登録する。言い換えると、店舗操作者は、店舗内の構造物の配置を示した画像の登録を行う。
レイアウト画像２２は、管理サーバ１０に送信され、管理サーバ１０に格納される。
【００１５】
また、本実施形態では、符号３Ｂで示すように、本部にいる操作者（以下、「本部操作者」と称する）が、本部端末２０を介し、各店舗に掲示される掲示物６０のひな型の登録を行う。
この掲示物６０のひな型は、管理サーバ１０に送信され、管理サーバ１０に格納される。
【００１６】
さらに、本実施形態では、符号３Ｃで示すように、店舗操作者が、店舗端末４０を介して、掲示物６０の編集、掲示位置登録、掲示領域登録、印刷情報登録、および、印刷指示を行う。なお、店舗操作者が行うこれらの処理の詳細については後述する。
さらに、本実施形態では、符号３Ｄで示すように、管理サーバ１０が、各店舗の画像形成装置３０に対して印刷指示を行う。
【００１７】
図４は、管理サーバ１０が有する機能を示した図である。なお、図４では、掲示物６０の掲示に関する機能部を主に示している。
管理サーバ１０には、情報取得部１０１、順序決定部１０２、指示部１０３、掲示情報格納部１０４、印刷情報格納部１０５の各機能部が設けられている。
ここで、情報取得部１０１、順序決定部１０２、指示部１０３は、例えば、ＣＰＵ２０１により、ＲＯＭ２０３や記憶装置２０４に格納されたプログラムが実行されることで実現される。また、掲示情報格納部１０４、印刷情報格納部１０５は、例えば、記憶装置２０４により実現される。
【００１８】
情報取得手段の一例としての情報取得部１０１は、各店舗に設置される複数の掲示物６０についての情報を取得する。
決定手段の一例としての順序決定部１０２は、情報取得部１０１が取得した情報に基づき、作業者（掲示物６０の設置を行う作業者）が設置箇所（掲示物６０の設置箇所）の各々を順に移動していく際の移動の順序を決定する。
【００１９】
指示手段の一例としての指示部１０３は、順序決定部１０２により決定された上記の移動の順序が反映された印刷物の出力の指示を行う。
掲示情報格納部１０４は、各掲示物６０の掲示位置を示す情報など、掲示物６０に関する情報を格納する。
印刷情報格納部１０５は、各掲示物６０の印刷部数など、掲示物６０の印刷に関する情報を格納する。
【００２０】
図５は、本実施形態の情報処理システム１にて実行される処理の流れを示したフローチャートである。
本実施形態では、まず、店舗操作者が、店舗端末４０を操作して、掲示物６０の編集を行う（ステップＳ１０１）。より具体的には、店舗操作者は、管理サーバ１０に登録されている、掲示物６０のひな型を編集して、各店舗に適した掲示物６０を生成する。
【００２１】
次いで、本実施形態では、管理サーバ１０が、管理サーバ１０にレイアウト画像２２が既に登録されているかを判断し（ステップＳ１０２）、登録されていない場合には、店舗操作者が、店舗端末４０を操作して、レイアウト画像２２を登録する（ステップＳ１０３）。
具体的には、管理サーバ１０にレイアウト画像２２が登録されていない場合には、レイアウト画像２２が未登録であることを示す情報が店舗端末４０に表示され、これに応じ、店舗操作者が、レイアウト画像２２を登録する
【００２２】
次いで、本実施形態では、店舗操作者が、店舗端末４０を操作して、ステップＳ１０１にて編集（作成）した掲示物６０の各々の掲示位置を登録する（ステップＳ１０４）。
この掲示位置は、管理サーバ１０に送信され、管理サーバ１０に登録される。付言すると、掲示位置は、対応する掲示物６０に対応付けられた状態で、管理サーバ１０に登録される。
【００２３】
図６は、店舗操作者が掲示位置を登録する際の、店舗端末４０の表示画面４１を示した図である。
本実施形態では、店舗操作者が掲示位置を登録する際、店舗端末４０に、図６に示す表示画面４１が表示される。
この表示画面４１では、符号６Ａで示すように、表示画面４１の上側に、登録済みのレイアウト画像２２が表示される。
また、符号６Ｂで示すように、表示画面４１の下側には、上記のステップＳ１０１にて店舗操作者が編集（作成）した掲示物６０の一覧が表示される。付言すると、表示画面４１の下側には、店舗に掲示しようとしている掲示物６０についての情報が表示される。
【００２４】
次いで、本実施形態では、店舗操作者が、図６に表示されているレイアウト画像２２の何れか一部を選択して、掲示物６０の掲示位置を登録する。
具体的には、店舗操作者は、掲示物６０の一覧の中から（表示画面４１の下側に表示されている複数種類の掲示物６０の中から）、掲示位置の登録を行う掲示物６０を特定したうえで、レイアウト画像２２の何れか一部を選択する。
これにより、掲示物６０の掲示位置が特定される。その後、特定されたこの掲示位置が管理サーバ１０に送信され、管理サーバ１０にこの掲示位置が登録される。付言すると、掲示位置は、掲示物６０に対応付けられた状態で管理サーバ１０に登録される。
【００２５】
図６では、文具ポップＡという掲示物６０が店舗操作者により特定されたうえで、店舗操作者が、レイアウト画像２２中の（１）の部分を選択した場合を例示している。
この場合、本実施形態では、文具ポップＡという掲示物６０に対して、位置情報（（１）の位置を示す位置情報）が対応付けられたうえで、この位置情報が、管理サーバ１０に登録される。
なお、図示は省略するが、文具ポップＢ、書籍ポップＡについても、同様に、店舗操作者による掲示位置の特定が行われ、文具ポップＢ、書籍ポップＡについても、位置情報の登録が行われる。
【００２６】
図７は、掲示情報格納部１０４に格納される情報を示した図である。
本実施形態では、上記のように、各掲示物６０の掲示位置を示す位置情報が、管理サーバ１０に登録されるが、この位置情報（以下、「掲示位置情報」と称する）は、管理サーバ１０の掲示情報格納部１０４に登録される。
【００２７】
具体的には、本実施形態では、図７の符号７Ａで示すように、掲示位置情報として、店舗におけるＸ軸上の位置、Ｙ軸上の位置が登録される。
さらに、本実施形態では、符号７Ｃ、７Ｄで示すように、掲示物６０の各々を識別するための識別情報として、掲示物６０の各々に対し、コンテンツＩＤ、プリントジョブＩＤが対応付けて登録される。
さらに、掲示情報格納部１０４には、符号７Ｇで示すように、掲示物の名称についての情報が格納される。
【００２８】
図５を再度参照し、処理の流れをさらに説明する。
ステップＳ１０５では、店舗操作者が、店舗端末４０を操作して、掲示物６０の掲示を行う領域である掲示領域を登録する。
図８は、店舗操作者が掲示領域の登録を行う際の、店舗端末４０の表示画面４１を示した図である。
【００２９】
図８にて示す表示画面４１では、上側に、レイアウト画像２２が表示され、さらに、文具ポップＡ、文具ポップＢの各々の掲示位置である（１）、（２）という画像が、レイアウト画像２２上に表示される。
さらに、レイアウト画像２２上には、符号８Ｅで示すように、図６にて示した書籍ポップＡの掲示位置である（３）という画像が表示されている。
【００３０】
図８にて示すこの表示例では、店舗操作者によって、レイアウト画像２２の中から、一部の領域が選択された場合を例示している。
具体的には、この表示例では、符号８Ａで示す矩形状の領域が、店舗操作者によって選択された場合を例示している。より具体的には、掲示位置である（１）、（２）を含む領域が選択された場合を例示している。
【００３１】
本実施形態では、店舗操作者によって選択されたこの領域が、掲示物６０の掲示を行う掲示領域となる。本実施形態では、このように、店舗操作者が、レイアウト画像２２の中から領域の選択を行い、掲示領域の登録を行う。
さらに、図８にて示す表示画面４１では、表示画面４１の下側に（符号８Ｂで示す箇所に）、掲示領域（店舗操作者により選択された領域）に含まれる掲示物６０の各々についての情報が表示される。言い換えると、表示画面４１の下側には、掲示領域内に掲示される予定の掲示物６０についての情報が表示される。
【００３２】
さらに、本実施形態では、表示画面４１の右下に、登録ボタン４４が表示される。
この登録ボタン４４が、店舗操作者により選択されると、店舗操作者により選択された掲示領域についての情報が、管理サーバ１０に送信され、管理サーバ１０では、掲示領域が、この掲示領域内に位置する掲示物６０に対応付けられた状態で登録される。
【００３３】
具体的には、掲示領域についての情報は、図７にて示した掲示情報格納部１０４に登録される。
具体的には、本実施形態では、掲示領域の各々に、各掲示領域を識別するためのエリアＩＤが付与され、図７の符号７Ｅで示すように、このエリアＩＤが、各掲示物６０に対応付けられた状態で掲示情報格納部１０４に登録される。
より具体的には、本実施形態では、上記にて選択された掲示領域（図８にて符号８Ａで示す矩形状の掲示領域）に対して、エリアＩＤ「１」が付与され、このエリアＩＤ「１」が、文具ポップＡ、文具ポップＢの各々に対応付けられた状態で、掲示情報格納部１０４に登録される。
【００３４】
より具体的には、本実施形態では、ＸＹ座標により表される掲示領域の各々と、エリアＩＤの各々とが対応付けられた状態で、管理サーバ１０に別途登録されており、本実施形態では、掲示情報格納部１０４に、エリアＩＤのみが登録される構成となっている。
なお、本実施形態では、図８の符号８Ｅで示すように、書籍ポップＡの掲示位置（（３）で示す掲示位置）は、掲示領域から外れており、図７の符号７Ｘで示すように、この書籍ポップＡに対しては、エリアＩＤ「１」の対応付けが行われていない。
【００３５】
図５を再度参照し、処理の流れをさらに説明する。
ステップＳ１０６では、印刷情報の登録が行われる。
印刷情報の登録では、店舗操作者が、店舗端末４０を操作して、印刷情報の登録を行う。
具体的には、店舗操作者は、掲示物６０の各々の印刷部数など、掲示物６０の各々の印刷にあたって必要となる情報の登録を行う。
【００３６】
図９は、印刷情報の登録時の、店舗端末４０の表示画面４１を示した図である。
この表示画面４１では、掲示領域選択欄４０１があり、この掲示領域選択欄４０１には、店舗操作者が既に登録を行った上記の掲示領域が複数表示される。
掲示領域選択欄４０１では、プルダウン方式で表示が行われ、掲示領域選択欄４０１に対してマウスなどのポインタを合わせると、登録済みの掲示領域が、上下方向に並んだ状態で複数表示される。
【００３７】
付言すると、図８では、店舗操作者により、１つの掲示領域のみが選択された場合を説明したが、本実施形態では、他の掲示領域の選択（登録）も想定され、この場合は、図９にて示す、掲示領域選択欄４０１に、複数の掲示領域が表示される。
なお、図９では、店舗操作者によって、複数の掲示領域の中から、最終的に、エリア１が掲示領域として選択された場合を例示している。
【００３８】
さらに、本実施形態では、符号９Ａで示すように、掲示領域選択欄４０１の下方、且つ、表示画面４１の左端に、店舗操作者によって選択された掲示領域に含まれる掲示物６０についての情報が表示される。具体的には、掲示物６０の名称が表示される。
付言すると、本実施形態では、掲示物６０の名称を表示する名称表示欄４０３が設けられ、この名称表示欄４０３に、選択された掲示領域に含まれる掲示物６０の名称が表示される。
【００３９】
さらに、本実施形態では、名称表示欄４０３の右側に、印刷情報入力欄４０５が設けられ、店舗操作者は、この印刷情報入力欄４０５に、印刷情報を入力する。
具体的には、印刷情報入力欄４０５には、掲示物６０の各々の部数（印刷部数）を入力するための部数入力欄４０５Ａ、掲示物６０の作成に用いる用紙についての情報を入力するための用紙情報入力欄４０５Ｂ、掲示物６０の掲示にあたって必要となる器具についての情報を入力するための器具情報入力欄４０５Ｃが設けられている。
【００４０】
図９にて示す例では、文具ポップＡについては、部数を２０部とし、Ａ４の普通紙を使用し、掲示にあたって両面テープを使用する旨の情報が入力されている。
また、文具ポップＢについては、部数を１部とし、Ａ５の普通紙を使用し、掲示にあたって器具は使用しない旨の情報が入力されている。
ここで、「掲示物６０の掲示にあたって必要となる器具」としては、両面テープ、画鋲、接着剤のように、掲示物６０の設置箇所にとどまってその役割を果たすものの他、ドライバーなどの工具のように、設置箇所の各々を順に移動して使用されるものも含む。
【００４１】
さらに、本実施形態では、表示画面４１の下部に、登録ボタン４０７が表示される。
この登録ボタン４０７が選択されると、店舗操作者により入力された印刷情報（印刷情報入力欄４０５に入力された各印刷情報）が、管理サーバ１０に送信され、印刷情報が、各掲示物６０に対応付けられた状態で管理サーバ１０に登録される。
具体的には、印刷情報は、管理サーバ１０に設けられた印刷情報格納部１０５に格納される。
【００４２】
図１０は、印刷情報格納部１０５を説明する図である。
管理サーバ１０の印刷情報格納部１０５には、店舗端末４０から送信されてきた上記印刷情報が格納される。具体的には、印刷情報格納部１０５には、部数についての情報、用紙についての情報、器具の有無についての情報が格納される。
【００４３】
さらに、印刷情報格納部１０５では、部数についての情報、用紙についての情報、器具の有無についての情報が、掲示物６０の各々に対応付けられた状態で格納される。
具体的には、部数についての情報、用紙についての情報、器具の有無についての情報は、プリントジョブＩＤに対応付けられた状態で登録される。
【００４４】
このプリントジョブＩＤは、掲示情報格納部１０４（図７参照）に格納されたプリントジョブＩＤと一致しており、本実施形態では、部数についての情報、用紙についての情報、器具の有無についての情報は、このプリントジョブＩＤを介して、各掲示物６０に対応付けられている（図７にて示す各掲示物６０の各々に対応付けられている）。
【００４５】
図５を再度参照し、処理の流れをさらに説明する。
ステップＳ１０７では、店舗操作者が、店舗端末４０を介し、最終確認を行ったうえで印刷指示を行う。
図１１は、印刷指示が行われる直前の店舗端末４０の表示画面４１を示した図である。
図１１にて示すこの表示画面４１では、上部に、操作者により選択された掲示領域を表示する掲示領域表示欄５０１が設けられている。この例では、掲示領域として、エリア１が表示されている。付言すると、本実施形態では、図９にて示した表示画面４１にて、エリア１が選択され、これにより、図１１にて示す表示画面４１でも、エリア１が表示されている。
【００４６】
さらに、本実施形態では、図１１の符号１１Ｂに示すように、店舗操作者が入力した印刷情報（上記ステップＳ１０６にて入力した印刷情報）が表示される。
具体的には、印刷をしようとする各掲示物６０の各々について、部数についての情報、用紙についての情報、必要な器具についての情報が表示される。
【００４７】
また、本実施形態では、図１１の符号１１Ｃで示すように、表示画面４１の下側に、指示書７０（図１参照）の作成のための画面が表示される。
付言すると、表示画面４１の下側には、掲示物６０の設置作業を行う作業者に渡される指示書７０の作成に用いられる画面（以下、「指示書作成用画面」と称する）が表示される。
【００４８】
掲示物６０の設置を行う作業者は、掲示物６０の設置箇所の各々を順に移動して掲示物６０の設置作業を行う。表示画面４１の下側には、この作業者に渡される指示書７０の作成のための画面（指示書作成用画面）が表示される。
ここで、「指示書」とは、掲示物６０の設置作業を行う作業者に渡される印刷物をいう。作業者は、この指示書７０を参照したうえで、掲示物６０の設置作業を行う。
【００４９】
ここで、指示書作成用画面では、符号１１Ｄで示すように、これから出力される指示書７０のプレビュー画像が表示される。
指示書７０には、レイアウト画像２２が含まれ、さらに、このレイアウト画像２２上には、符号１１Ｅ、符号１１Ｆで示すように、各掲示物６０の掲示位置を示す情報が表示される。
【００５０】
さらに、指示書７０には、符号１１Ｈで示すように、作業者が設置箇所の各々を順に移動していく際の移動の順序（以下、「移動順序」と称する場合がある）についての情報が記載される。
作業者は、指示書７０に記載された、この移動順序に従って店舗内を移動する。そして、移動していく過程で、掲示物６０の設置を順次行う。
【００５１】
指示書作成用画面では、符号１１Ｇで示すように、店舗操作者により選択される決定基準が表示される。
より具体的には、本実施形態では、プルダウン方式で決定基準が表示され、符号１１Ｇで示す箇所には、複数の決定基準が表示される。
【００５２】
付言すると、符号１１Ｇで示す箇所には、上記の移動順序を決定する際に参照される決定基準が、複数表示される。
より具体的には、本実施形態では、順序決定部１０２（図４参照）が、移動順序を決定するが、その際、順序決定部１０２は、店舗操作者により選択されたこの決定基準に基づき、この移動順序を決定する。
本実施形態では、このように、決定基準を店舗操作者が選べるようになっている。
【００５３】
ここで、図１１にて示す例では、「出力枚数順」という決定基準が、店舗操作者により選択された場合を例示しており、この場合、順序決定部１０２は、掲示物６０の各々の部数についての情報に基づき、移動順序を決定する。
なお、図示は省略するが、その他の決定基準としては、「大きさ順」、「器具の有無順」、「設置箇所順」が存在し、店舗操作者は、「出力枚数順」という決定基準以外の他の決定基準の選択も行える。
【００５４】
さらに、図１１にて示す表示画面４１では、表示画面４１の右下に、印刷ボタン５０２が設けられている。掲示物６０、指示書７０の印刷にあたっては、この印刷ボタン５０２が店舗操作者により最終的に選択される。
印刷ボタン５０２が選択されると、管理サーバ１０から、店舗に設けられた画像形成装置３０へ印刷指示がなされ、この画像形成装置３０にて、掲示物６０および指示書７０が出力される。
【００５５】
図１２は、出力された指示書７０を示した図である。
指示書７０には、レイアウト画像２２が表示される。さらに、レイアウト画像２２上には、掲示物６０の各々の掲示位置を示す情報が表示される。
さらに、指示書７０には、符号１２Ａで示すように、移動順序についての情報が表示される。付言すると、指示書７０には、作業者が掲示物６０の設置箇所の各々を順に移動していく際の移動の順序についての情報が表示される。付言すると、本実施形態では、指示書７０に、移動順序についての情報が記載され、順序決定部１０２により決定された移動の順序が、指示書７０に反映されている。
ここで、図１２に示す例では、移動順序が、文具ポップＡ、文具ポップＢの順となっている。
【００５６】
図１３は、ステップＳ１０７にて行われる処理の詳細を示したフローチャートである。なお、この図１３では、指示書７０の印刷についての処理を中心に説明する。
本実施形態では、指示書７０の印刷にあたっては、まず、情報取得部１０１が、掲示される予定にある複数の掲示物６０の各々についての情報を取得する（ステップＳ２０１）。
本実施形態では、情報取得部１０１は、操作者により選択された掲示領域に含まれる掲示物６０を特定し、特定したこの掲示物６０の各々についての情報を取得する。
【００５７】
本例では、情報取得部１０１は、複数の掲示物６０の各々についての情報として、各掲示物６０の部数についての情報を取得する。
具体的には、本実施形態では、上記のとおり、決定基準として、「出力枚数順」（掲示物６０の部数順）が選択されており（図１１の符号１１Ｇ参照）、この場合、情報取得部１０１は、掲示物６０の各々についての情報として、各掲示物６０の部数についての情報を取得する。
具体的には、情報取得部１０１は、印刷情報格納部１０５（図１０参照）に格納されている情報を参照し、各掲示物６０の部数についての情報を取得する。
【００５８】
次いで、本実施形態では、順序決定部１０２が、情報取得部１０１が取得した情報に基づき、作業者が設置箇所の各々を順に移動していく際の移動順序を決定する（ステップＳ２０２）。
具体的には、本例では、上記のとおり、情報取得部１０１が、部数についての情報を取得し、順序決定部１０２は、取得されたこの部数についての情報に基づき、移動順序を決定する。
より具体的には、順序決定部１０２は、例えば、部数が少ない掲示物６０の設置箇所よりも部数が多い掲示物６０の設置箇所の方を作業者が先に訪れるように、移動の順序を決定する。
【００５９】
その後、本実施形態では、指示部１０３が、順序決定部１０２により決定された移動の順序が反映された印刷物の出力を指示する（ステップＳ２０３）。
具体的には、指示部１０３は、順序決定部１０２により決定された移動の順序についての情報が記載された指示書７０の出力を指示する。より具体的には、指示部１０３は、移動の順序が反映された指示書７０の画像データを、画像形成装置３０へ送信するとともに、指示書７０の印刷指示をこの画像形成装置３０に対して行う。
【００６０】
これにより、店舗に設置された画像形成装置３０（図１参照）にて、複数の種類の掲示物６０とともに、移動の順序が反映された指示書７０が出力される。より具体的には、本実施形態では、指示書７０として、例えば、図１２にて示した指示書７０が出力される。
この指示書７０には、上記にて説明したように、レイアウト画像２２、掲示物６０の掲示位置を示す情報、移動順序についての情報が含まれる。
ここで、この指示書７０では、移動順序についての情報として、図１２の符号１２Ａで示すように、文具ポップＡの設置箇所へ向かった後に、文具ポップＢの設置箇所へ向かう、という情報が含まれる。
【００６１】
図１２に示す指示書７０では、移動の順序についての情報だけではなく、掲示物６０の設置箇所の各々の位置を示す情報も表示される。
より具体的には、本実施形態の指示書７０では、掲示物６０の各々を示すサムネイル画像（掲示物６０の各々を特定する画像）１２Ｘが、レイアウト画像２２上に、且つ、掲示位置に対応する位置に表示されることで、掲示物６０の各々の設置位置を示す情報が表示される。
【００６２】
なお、本実施形態では、レイアウト画像２２上に、掲示物６０のサムネイル画像１２Ｘを表示することで、掲示物６０の各々の設置位置を示す情報を表示したが、レイアウト画像２２や、サムネイル画像１２Ｘは必須でない。
その他に、例えば、「柱Ａに文具ポップＡを掲示、柱Ｂに文具ポップＢを掲示」などの文字情報のみを、掲示物６０の設置位置を示す情報として表示してもよい。
【００６３】
また、本実施形態では、移動の順序についての表示を、図１２の符号１２Ａで示したように、文字情報で表示したが、図１４（指示書７０の他の一例を示した図）に示すように、レイアウト画像２２上に、経路を示す表示を行うことで、移動順序の表示を行ってもよい。
さらに、移動順序の表示にあたっては、文字情報の表示と、経路を示す表示の両者を行ってもよい。
【００６４】
また、上記では、各掲示物６０の部数に基づき、移動の順序を決定したが、移動の順序は、他の決定基準に基づき決定してもよい。
具体的には、移動の順序は、例えば、「設置箇所順」、「大きさ順」、「器具の有無順」などの決定基準に基づき決定してもよい。
【００６５】
ここで、例えば、「設置箇所順」で決定する場合は、情報取得部１０１が、例えば、掲示情報格納部１０４（図７参照）に格納されている情報（位置についての情報）を参照し、掲示物６０の各々の設置箇所についての情報を取得する。また、情報取得部１０１は、画像形成装置３０の設置箇所についての情報を取得する。
そして、情報取得部１０１は、取得したこれらの設置箇所についての情報に基づき、画像形成装置３０から、掲示物６０の設置箇所の各々までの距離についての情報を取得する。
【００６６】
そして、順序決定部１０２は、この距離についての情報に基づき、移動の順序を決定する。
より具体的には、順序決定部１０２は、例えば、画像形成装置３０から掲示物６０の設置箇所までの距離が近い順に、作業者が、掲示物６０の各設置箇所を訪れるように、又は、画像形成装置３０から掲示物６０の設置箇所までの距離が遠い順に、作業者が、掲示物６０の各設置箇所を訪れるように、移動順序を決定する。
【００６７】
また、「大きさ順」で決定する場合は、情報取得部１０１が、例えば、印刷情報格納部１０５（図１０参照）に格納されている情報（用紙の大きさについての情報）を参照し、掲示物６０の各々の大きさについての情報を取得する。
そして、順序決定部１０２は、この大きさについての情報に基づき、移動の順序を決定する。
具体的には、順序決定部１０２は、例えば、小さい掲示物６０の設置箇所よりも大きい掲示物６０の設置箇所の方を作業者が先に訪れるように、移動の順序を決定する。
【００６８】
また、「器具の有無順」で決定する場合は、情報取得部１０１は、例えば、印刷情報格納部１０５に格納されている情報（器具についての情報）を参照し、掲示物６０の各々の掲示にあたって必要となる器具についての情報を取得する。
そして、順序決定部１０２は、この器具についての情報に基づき、移動の順序を決定する。
具体的には、順序決定部１０２は、例えば、器具が必要とされない掲示物６０の設置箇所よりも器具が必要とされる掲示物６０の設置箇所の方を作業者が先に訪れるように、移動の順序を決定する。
【００６９】
また、本実施形態では、上記のように、複数登録されている掲示領域の中から、１つの掲示領域が選択される場合がある（店舗操作者による掲示領域の指定が行われる場合がある）。
この場合、順序決定部１０２は、全ての掲示物６０についての移動の順序を決定するのではなく、一部の掲示物６０の各々の設置箇所を作業者が順に移動していく際の移動順序を決定する。
付言すると、この場合、順序決定部１０２は、店舗操作者により指定された掲示領域内に含まれる一部の掲示物６０の各々の設置箇所を作業者が順に移動していく際の移動の順序を決定する。
【００７０】
（掲示物６０の印刷）
上記では、移動の順序が反映された印刷物として、指示書７０を出力する場合を一例に説明した。移動の順序が反映された印刷物は、指示書７０に限られない。
移動の順序が反映された印刷物は、掲示物６０自体としてもよい。付言すると、移動の順序が反映された印刷物は、店舗に実際に掲示される掲示物６０としてもよい。
【００７１】
この場合、指示部１０３が、移動の順序が反映された印刷物の出力の指示として、掲示物６０の印刷の指示を行う。
より具体的には、指示部１０３は、作業者により設置される複数の掲示物６０の各々の設置順（順序決定部１０２により決定された移動順序に基づき作業者が移動して掲示物６０の各々を設置する際の設置順）と、印刷され束となる複数の掲示物６０のこの束における並び順とが一致するように、掲示物６０の印刷の指示を行う。
【００７２】
付言すると、本実施形態では、上記のとおり、まず、順序決定部１０２により移動順序が決定される。次いで、指示部１０３が、順序決定部１０２により決定された移動順序から、作業者により設置される複数の掲示物６０の各々の設置順を把握する。
そして、指示部１０３は、把握したこの設置順と、複数の掲示物６０の各々の並び順（束における並び順）とが一致するように、掲示物６０の印刷の指示を行う。
なお、移動の順序が反映された印刷物は、指示書７０のみ、あるいは、掲示物６０のみに限らず、指示書７０および複数の掲示物６０の両者としてもよい。
【００７３】
ここで、例えば、順序決定部１０２によって、作業者の移動順序が、第１設置箇所、第２設置箇所、第３設置箇所の順と決定され、且つ、第１設置箇所に掲示物６０Ａが掲示され、第２設置箇所に掲示物６０Ｂが掲示され、第３設置箇所に掲示物６０Ｃが掲示される場合を想定する。
この場合、指示部１０３は、例えば、画像形成装置３０にて生成される束にて、上から、掲示物６０Ａ、掲示物６０Ｂ、掲示物６０Ｃの順で掲示物６０が並ぶように、又は、下から、掲示物６０Ａ、掲示物６０Ｂ、掲示物６０Ｃの順で掲示物６０が並ぶように、掲示物６０の印刷指示を行う。
【００７４】
複数の掲示物６０の各々の設置順と、掲示物６０の各々の並び順とが一致する場合、作業者は、掲示物６０の掲示作業を順に行うことで（束の一方の面側から掲示物６０を順に取って掲示作業を行うことで）、順序決定部１０２により決定された移動順序での移動を行うことになる。
【００７５】
ここで、本実施形態では、画像形成装置３０における掲示物６０の出力にあたっては、図１５（画像形成装置３０を示した図）に示すように、画像形成装置３０にて掲示物６０が順次出力される。
そして、画像形成装置３０では、符号１５Ａで示すように、積載部３５に、印刷済みの掲示物６０が順次積載されて、掲示物６０の束６００が生成される。
本実施形態では、生成されるこの束６００における掲示物６０の並び順と、掲示物６０の各々の設置順とが一致する。
【００７６】
具体例を挙げて説明すると、上記の通り、作業者が、第１設置箇所（掲示物６０Ａの設置箇所）、第２設置箇所（掲示物６０Ｂの設置箇所）、第３設置箇所（掲示物６０Ｃの設置箇所）の順で、各設置箇所を訪れる場合を想定する。
この場合、本実施形態では、図１６（画像形成装置３０における掲示物の積載状態を示した図）の（Ａ）又は（Ｂ）に示すように、画像形成装置３０の積載部３５に、複数の掲示物６０が並んだ束６００が生成される。
【００７７】
図１６（Ａ）に示す例では、上から、掲示物６０Ａ、掲示物６０Ｂ、掲示物６０Ｃの順で掲示物６０が並んでいる。
付言すると、図１６（Ａ）に示す束６００では、作業者による設置が先に行われる掲示物６０Ａが、遅れて設置される掲示物６０Ｂ、６０Ｃよりも上に載っている。さらに、図１６（Ａ）に示す束６００では、印刷面が上方を向いている。
【００７８】
また、図１６（Ｂ）に示す例でも、掲示物６０Ａ、掲示物６０Ｂ、掲示物６０Ｃの順で掲示物６０が並んでいる。付言すると、図１６（Ｂ）に示す束６００でも、掲示物６０の各々の設置順と、掲示物６０の各々の並び順とが一致している。
一方で、図１６（Ｂ）に示す束６００では、先行して設置される掲示物６０Ａが遅れて設置される掲示物６０Ｂ、６０Ｃよりも下に位置し、さらに、印刷面が下方を向いている。この場合、作業者は、設置作業の際に、束６００の上下を反転させる必要が生じる。
【符号の説明】
【００７９】
１…情報処理システム、３０…画像形成装置、６０…掲示物、７０…指示書、１０１…情報取得部、１０２…順序決定部、１０３…指示部、６００…束
【図１】
2020030682.tif 000003
【図２】
2020030682.tif 000004
【図３】
2020030682.tif 000005
【図４】
2020030682.tif 000006
【図５】
2020030682.tif 000007
【図６】
2020030682.tif 000008
【図７】
2020030682.tif 000009
【図８】
2020030682.tif 000010
【図９】
2020030682.tif 000011
【図１０】
2020030682.tif 000012
【図１１】
2020030682.tif 000013
【図１２】
2020030682.tif 000014
【図１３】
2020030682.tif 000015
【図１４】
2020030682.tif 000016
【図１５】
2020030682.tif 000017
【図１６】
2020030682.tif 000018